(57)【要約】【課題】指針文字板画像における指針の文字板に対する現在表示位置の検出精度を向上することができるアナログ電子時計システムを提供すること。【解決手段】端末機器は指針文字板画像における指針の現在表示位置を検出し、現在表示位置に基づいて現在表示時刻情報を生成し、アナログ電子時計は表示時刻情報に基づいて指針の表示位置を補正する。端末機器は、アナログ電子時計から送信された時計識別情報に基づいてアナログ電子時計の少なくとも指針の形状に関する針形状情報を含む針識別情報を取得する。端末機器は、針識別情報に基づいて現在表示位置を検出し、現在表示位置に基づいた表示時刻情報をアナログ電子時計に送信する。【選択図】図５
2019128351.tif 000002
【特許請求の範囲】
【請求項１】
文字板上を回転する１以上の指針と、
外部と少なくとも時刻に関する時刻情報を受信および時計識別情報を送信することができる時計側通信部と、
を有するアナログ電子時計と、
外部と少なくとも時刻に関する時刻情報を送信および時計識別情報を受信することができる端末側通信部と、
前記文字板を撮像し、前記指針および前記文字板に対応する画像を含む指針文字板画像を生成する撮像部と、
前記指針文字板画像における前記指針の現在表示位置を検出し、前記現在表示位置に基づいた表示時刻情報を生成する端末側制御部と、
を有する端末機器と、
を備え、
前記端末側制御部は、
前記時計識別情報に基づいて前記アナログ電子時計の少なくとも前記指針の形状に関する針形状情報を含む針識別情報を取得し、
前記指針文字板画像および前記針識別情報に基づいて前記現在表示位置を検出し、
少なくとも前記現在表示位置に基づいた表示時刻情報を前記時計側通信部に送信し、
前記アナログ電子時計は、
前記表示時刻情報に基づいて、前記指針の表示位置を補正する、
ことを特徴とするアナログ電子時計システム。
【請求項２】
請求項１に記載のアナログ電子時計システムにおいて、
前記端末機器は、前記時計識別情報を取得する際に、前記端末側通信部を介して、外部より前記針識別情報を取得する、
アナログ電子時計システム。
【請求項３】
請求項１または２に記載のアナログ電子時計システムにおいて、
前記端末側制御部は、
前記指針文字板画像における反射領域を特定するものであり、
前記反射領域に基づいて前記現在表示位置を検出することが可能であるか否かを判断する、
アナログ電子時計システム。
【請求項４】
請求項３に記載のアナログ電子時計システムにおいて、
前記端末側制御部は、
前記アナログ電子時計に対する前記反射領域の位置、面積の少なくとも一方に基づいて、前記現在表示位置を検出することできるか否かを判断する、
アナログ電子時計システム。
【請求項５】
請求項３または４に記載のアナログ電子時計システムにおいて、
前記針識別情報は、前記反射領域を特定するためのアナログ電子時計の色に関する色情報を含み、
前記端末側制御部は、
前記色情報に基づいて前記指針文字板画像における前記反射領域を特定する、
アナログ電子時計システム。
【請求項６】
請求項３〜５のいずれか１つに記載のアナログ電子時計システムにおいて、
前記反射領域に基づいて前記現在表示位置を検出することが困難であると判断すると、
前記端末機器の表示部に少なくとも表示時刻の補正が困難であることに関する補正困難情報を表示する、
アナログ電子時計システム。
【請求項７】
請求項１〜６のいずれか１つに記載のアナログ電子時計システムにおいて、
前記アナログ電子時計は、前記文字板と対向する風防を有し、
前記風防は、少なくとも前記文字板と対向する面に反射低減コーディング層が形成されている、
アナログ電子時計システム。
【請求項８】
請求項１〜７のいずれか１つに記載のアナログ電子時計システムにおいて、
前記針識別情報は、前記文字板の特徴部の形状に関する特徴部形状情報を含み、
前記端末側制御部は、
前記特徴部形状情報に基づいて前記指針文字板画像における前記文字板の傾きを補正した補正後指針文字板画像を生成し、
前記補正後指針文字板画像および前記針識別情報に基づいて前記現在表示位置を検出する、
アナログ電子時計システム。
【請求項９】
請求項８に記載のアナログ電子時計システムにおいて、
前記特徴部は、前記文字板に形成されたロゴタイプ、マーク、日窓、インデックスの少なくとも１つである、
アナログ電子時計システム。
【請求項１０】
文字板上を回転する１以上の指針と、
外部と少なくとも時刻に関する時刻情報を受信することができるアナログ電子時計であって、
指針の形状に関する針形状情報を含む時計識別情報を送信する時計側通信部を備え、
前記時計識別情報と、指針および文字板に対応する画像を含む指針文字板画像とに基づいて、現在表示位置を検出し、該現在表示位置によって表示時刻情報を生成する端末機器から、前記表示時刻情報を受信し前記指針の表示位置を補正する、
ことを特徴とするアナログ電子時計。
【発明の詳細な説明】
【技術分野】
【０００１】
本発明は、アナログ電子時計システムおよびアナログ電子時計に関する。
【背景技術】
【０００２】
ユーザーが所有する端末機器と、無線通信を介して、時刻に関する時刻情報等の情報を送受信することができるアナログ電子時計が提案されている。アナログ電子時計は、ステップモータにより秒針、分針、時針および日板などの指針群を回転させることにより、内部時刻に基づいた表示位置に指針群を配置させることで、ユーザーに現在時刻を認識させるものである。
【０００３】
ところで、アナログ電子時計は、各種の外的要因により、指針群がずれる場合がある。指針群がずれている場合は、現在内部時刻と、指針群の現在表示位置に基づいた現在表示時刻とがずれることとなる。このため、アナログ電子時計では、表示時刻の補正機能が備わっている。従来、表示時刻補正を行う場合は、指針群を現在表示位置から基準位置となるまで、指針群の位置情報に基づいて回転させている。ユーザーによる手動補正の場合は、ユーザーの指示により、表示時刻補正が開始されると、現在表示位置情報と、基準位置に対応する基準位置情報とを比較し、指針群を基準位置情報に基づいた表示位置まで回転させ、アナログ電子時計の操作部を操作し、指針群が基準位置とずれている場合は、基準位置となるように指針群を調整し、ユーザーの指示により、指針群を時計内部時刻に基づいて回転させる。また、端末機器による自動補正の場合も、同様に、ユーザーの指示により、指針群を基準位置情報に基づいた表示位置まで回転させ、ユーザーが端末機器により指針群を含めて文字板を撮像して、生成された画像における指針群の現在表示位置を検出し、指針群が基準位置とずれていると判断すると、補正時刻情報をアナログ電子時計に送信し、表示時刻補正情報を受信したアナログ電子時計が補正時刻情報に基づいて、指針群が基準位置となるように自動的に調整し、ユーザーの指示により、指針群を時計内部時刻に基づいて回転させる（特許文献１参照）。
【先行技術文献】
【特許文献】
【０００４】
【特許文献１】特許第４２００８３５号
【発明の概要】
【発明が解決しようとする課題】
【０００５】
ところで、生成された画像における指針群の現在表示位置を検出するために、画像から、外装ケース、文字板、指針などを抽出することとなるが、これらの形状や色などがアナログ電子時計の種類、製造年によって異なっているため、どのアナログ電子時計であっても画像全体から指針群の現在表示位置を検出することとなる。
【０００６】
本発明は、上記に鑑みてなされたものであって、指針文字板画像における指針の文字板に対する現在表示位置の検出精度を向上することができるアナログ電子時計システムおよびアナログ電子時計を提供することを目的とする。
【課題を解決するための手段】
【０００７】
上述した課題を解決し、目的を達成するために、本実施形態におけるアナログ電子時計システムは、文字板上を回転する１以上の指針と、外部と少なくとも時刻に関する時刻情報を受信および時計識別情報を送信することができる時計側通信部と、を有するアナログ電子時計と、外部と少なくとも時刻に関する時刻情報を送信および時計識別情報を受信することができる端末側通信部と、前記文字板を撮像し、前記指針および前記文字板に対応する画像を含む指針文字板画像を生成する撮像部と、前記指針文字板画像における前記指針の現在表示位置を検出し、前記現在表示位置に基づいた表示時刻情報を生成する端末側制御部と、を有する端末機器と、を備え、前記端末側制御部は、前記時計識別情報に基づいて前記アナログ電子時計の少なくとも前記指針の形状に関する針形状情報を含む針識別情報を取得し、前記指針文字板画像および前記針識別情報に基づいて前記現在表示位置を検出し、少なくとも前記現在表示位置に基づいた表示時刻情報を前記時計側通信部に送信し、前記アナログ電子時計は、前記表示時刻情報に基づいて、前記指針の表示位置を補正する、ことを特徴とする。
【０００８】
また、上述した課題を解決し、目的を達成するために、本実施形態におけるアナログ電子時計は、文字板上を回転する１以上の指針と、外部と少なくとも時刻に関する時刻情報を受信することができるアナログ電子時計であって、指針の形状に関する針形状情報を含む時計識別情報を送信する時計側通信部を備え、前記時計識別情報と、指針および文字板に対応する画像を含む指針文字板画像とに基づいて、現在表示位置を検出し、該現在表示位置によって表示時刻情報を生成する端末機器から、前記表示時刻情報を受信し前記指針の表示位置を補正する、ことを特徴とする。
【発明の効果】
【０００９】
本発明におけるアナログ電子時計システムおよびアナログ電子時計は、表示時刻補正を行う際に、針識別情報に基づいて指針文字板画像における文字板に対する指針の現在表示位置を検出するので、指針文字板画像における指針の現在表示位置の検出精度を向上することができるという効果を奏する。
【図面の簡単な説明】
【００１０】
【図１】図１は、実施形態におけるアナログ電子時計システムの全体構成図である。
【図２】図２は、実施形態におけるアナログ電子時計のブロック図である。
【図３】図３は、実施形態における端末機器のブロック図である。
【図４】図４は、端末機器により撮像された指針文字板画像を示す図である。
【図５】図５は、実施形態におけるアナログ電子時計システムのシーケンス図である。
【図６】図６は、アナログ電子時計における通信確立処理のフロー図である。
【図７】図７は、端末機器における通信確立処理のフロー図である。
【図８】図８は、実施形態１における端末機器における表示時刻補正処理のフロー図である。
【図９】図９は、アナログ電子時計における表示時刻補正処理のフロー図である。
【図１０】図１０は、時計の中心および向きを特定する処理の説明図である。
【図１１】図１１は、本実施形態における端末機器の表示面に対する補正困難情報表示画像の一例を示す図である。
【図１２】図１２は、変形例におけるアナログ電子時計の要部断面を示す図である。
【図１３】図１３は、実施形態２における端末機器における表示時刻補正処理のフロー図である。
【図１４】図１４は、端末機器により撮像された補正後指針文字板画像を示す図である。
【図１５】図１５は、端末機器により撮像された指針文字板画像の一部を示す図である。
【発明を実施するための形態】
【００１１】
以下、本発明につき図面を参照しつつ詳細に説明する。なお、下記の実施形態により本発明が限定されるものではない。また、下記の実施形態における構成要素には、当業者が容易に想定できるものあるいは実質的に同一のものが含まれる。
【００１２】
〔実施形態１〕
図１は、実施形態におけるアナログ電子時計システムの全体構成図である。図２は、実施形態におけるアナログ電子時計のブロック図である。図３は、実施形態における端末機器のブロック図である。図４は、端末機器により撮像された指針文字板画像を示す図である。
【００１３】
実施形態１にかかるアナログ電子時計システム１は、アナログ電子時計２と、端末機器３とを備える。アナログ電子時計システム１は、アナログ電子時計２と端末機器３との間で、時刻に関する時刻情報を互いに送受信することで、アナログ電子時計２に対する表示時刻補正を行うものである。本実施形態におけるアナログ電子時計システム１は、アナログ電子時計２と端末機器３との間の通信手段として、近距離無線通信手段の１つであるＢｌｕｅｔｏｏｔｈ（登録商標）を用いる場合について説明するが、通信手段はこれに限定されるものではなく、他の近距離無線通信手段や広域通信網等を用いてもよい。
【００１４】
アナログ電子時計２は、後述するアナログ表示部２６を有する時計であり、アナログ表示部２６における秒針２６ｂ、分針２６ｃ、時針２６ｄおよび日板２６ｅ（以下、単に「指針群２６ｂ〜２６ｅ」ともいう）と、文字板２６ａとの位置関係に対応する時刻である表示時刻をユーザーに認識させるものである。アナログ電子時計２は、アンテナ２１と、時計側通信部２２と、時計側制御部２３と、時計側電源部２４と、駆動機構部２５と、アナログ表示部２６と、操作部２７と、時計側記憶部２８とを有する。アナログ電子時計２は、アナログ電子時計２の最外郭を形成する外装ケース２９の内部空間部に、アンテナ２１、時計側通信部２２、時計側制御部２３、時計側電源部２４、駆動機構部２５、アナログ表示部２６および時計側記憶部２８が収容されている。ここで、外装ケース２９は、環状部２９ｅから外側に向かって突出して、複数のかん２９ａ〜２９ｄが形成されている。かん２９ａ〜２９ｄは、環状部２９ｅの前方向の端部から離間して前方向に突出して２つ、後方向の端部から離間して後方向に突出して２つ形成されている。アナログ電子時計２は、前方向側の２つで一組のかん２９ａ，２９ｂの間にベルトの一端が連結され、後方向側の２つで一組のかん２９ｃ，２９ｄの間にベルトの他端が連結され、外装ケース２９に対してベルトが環状に連結される。本実施形態におけるアナログ電子時計２は、ユーザーが腕に装着する腕時計として説明するが、置き時計や掛け時計であってもよい。
【００１５】
アンテナ２１は、時計側通信部の一部を構成するものであり、近距離無線通信規格の１つであるＢｌｕｅｔｏｏｔｈ（登録商標）規格の電波を受信するものである。アンテナ２１は、時計側通信部２２と接続されている。
【００１６】
時計側通信部２２は、時計側通信部の一部を構成するものであり、外部と少なくとも時刻に関する時刻情報を受信および時計識別情報を送信することができるものである。時計側通信部２２は、Ｂｌｕｅｔｏｏｔｈ（登録商標）モジュール２２ａと変換部２２ｂとを有する。Ｂｌｕｅｔｏｏｔｈ（登録商標）モジュール２２ａは、アンテナ２１を介して、外部である端末機器３との間でＢｌｕｅｔｏｏｔｈ（登録商標）通信を行うための通信制御モジュールである。変換部２２ｂは、シリアル信号をパラレル信号に変換、あるいはパラレル信号をシリアル信号に変換するものである。時計側制御部２３から出力され、外部に送信される送信情報（送信データ）は、変換部２２ｂにおいてシリアル／パラレル変換等の信号処理が行われ、Ｂｌｕｅｔｏｏｔｈ（登録商標）モジュール２２ａからアンテナ２１を介して端末機器３に送信される。一方、アンテナ２１を介して、Ｂｌｕｅｔｏｏｔｈ（登録商標）モジュール２２ａが受信した受信情報（受信データ）は、変換部２２ｂにおいてシリアル／パラレル変換等の信号処理が行われ、時計側制御部２３に出力される。
【００１７】
時計側制御部２３は、アナログ電子時計２に含まれる各種の回路や機構等を制御するものであり、少なくとも時計内部時刻に基づいて駆動機構部２５による指針群２６ｂ〜２６ｅの回転を制御するものである。時計側制御部２３は、表示時刻情報に基づいて、指針群２６ｂ〜２６ｅの表示位置を補正、すなわち表示時刻を補正するものである。また、時計側制御部２３は、端末機器３より受信した基準時刻情報に基づいて、時計内部時刻を補正するものでもある。ここで、基準時刻情報は、端末機器３の後述する端末内部時刻に対応する時刻情報である。また、時計側制御部２３は、指針群２６ｂ〜２６ｅの基準位置情報を記憶しており、基準位置情報を更新するものである。時計側制御部２３は、マイクロコントローラ２３ａと、モータ駆動回路２３ｂと、不揮発性メモリ２３ｃと、ＲＴＣ（Ｒｅａｌ  Ｔｉｍｅ  Ｃｌｏｃｋ）２３ｄとを有する。
【００１８】
マイクロコントローラ２３ａは、演算部２３ｅと、ＲＡＭ（Ｒａｎｄｏｍ  Ａｃｃｅｓｓ  Ｍｅｍｏｒｙ）２３ｆと、ＲＯＭ（Ｒｅａｄ  Ｏｎｌｙ  Ｍｅｍｏｒｙ）２３ｇと、を有する。マイクロコントローラ２３ａは、１つの集積回路により構成されている。演算部２３ｅは、ＲＴＣ２３ｄから出力されたクロック信号に含まれるパルスを図示しないカウンタによりカウントする。演算部２３ｅは、ＲＯＭ２３ｇに格納されたプログラムにしたがって各種の情報処理を行う。本実施形態における演算部２３ｅは、表示時刻補正処理を実行する。演算部２３ｅは、カウントされたパルスの数に応じた時計内部時刻を決定する。ＲＡＭ２３ｆは、演算部２３ｅのワークメモリとして機能し、演算部２３ｅの処理対象となる情報が書き込まれる。また、ＲＡＭ２３ｆは、時計側制御部２３により時計内部時刻に基づいて指針群２６ｂ〜２６ｅの回転を駆動機構部２５により制御する指針群２６ｂ〜２６ｅの制御動作に基づく、それぞれの現在表示位置情報を記憶するものでもある。
【００１９】
モータ駆動回路２３ｂは、演算部２３ｅにより決定された時計内部時刻に基づいて、駆動機構部２５に含まれる後述するステップモータ２５ａ〜２５ｃをそれぞれ駆動する駆動信号を出力する。
【００２０】
不揮発性メモリ２３ｃは、時計側電源部２４により、時計側制御部２３に電力が供給されていない場合や、アナログ電子時計２を再起動する場合等において、情報を保持するメモリである。不揮発性メモリ２３ｃは、指針群２６ｂ〜２６ｅの基準位置情報が記憶されている。本実施形態における基準位置情報は、予め設定されている基準位置に基づく情報である。ここで、基準位置は、例えば、秒針２６ｂ、分針２６ｃ、時針２６ｄが文字板２６ａの１２時を指す位置であり、かつ、日板２６ｅが文字板２６ａの日窓２６ｇから「１」を視認できる位置である。基準位置情報は、基準時刻（１日午前１２時００分００秒）における指針群２６ｂ〜２６ｅのそれぞれの位置に関する初期値情報である。不揮発性メモリ２３ｃは、例えば、フラッシュメモリやＥＥＰＲＯＭ等である。
【００２１】
ＲＴＣ２３ｄは、アナログ電子時計２の内部で計時に使用されるクロック信号をマイクロコントローラ２３ａに出力するものである。
【００２２】
時計側電源部２４は、アナログ電子時計２の電力源であり、時計側通信部２２、時計側制御部２３、駆動機構部２５等、アナログ電子時計２内の各部に対して電力を供給する。時計側電源部２４は、発電回路２４ａと、バッテリ２４ｂと、電源電圧検出回路２４ｃとを有する。
【００２３】
発電回路２４ａは、アナログ表示部２６の後述する文字板２６ａの下側に配置される光発電素子を含むものである。発電回路２４ａは、文字板２６ａに対して照射される太陽光等の外光によって発電するものであり、発電した電力をバッテリ２４ｂに供給するものである。
【００２４】
バッテリ２４ｂは、充放電可能な二次電池であり、例えば、リチウムイオン電池等である。バッテリ２４ｂは、充電および放電を管理する図示しないバッテリーマネジメント回路により、発電回路２４ａが発電した電力を充電、あるいはアナログ電子時計２内の各部に対して電力を供給するために放電する。
【００２５】
電源電圧検出回路２４ｃは、バッテリ２４ｂの電圧を測定する回路である。測定された電圧を示す信号は、マイクロコントローラ２３ａに出力される。
【００２６】
駆動機構部２５は、モータ駆動回路２３ｂから出力される駆動信号に応じて回転駆動（例えば、１制御パルスごとに１８０度）する複数のステップモータ２５ａ，２５ｂ，２５ｃと、図示しない輪列とを有する。駆動機構部２５は、各ステップモータ２５ａ〜２５ｃの回転力を輪列が伝達することで、指針群２６ｂ〜２６ｅを予め設定されている１回の回転量ごとに回転させる。本実施形態においては、ステップモータ２５ａにより秒針２６ｂが回転され、ステップモータ２５ｂにより分針２６ｃおよび時針２６ｄが回転され、ステップモータ２５ｃにより日板２６ｅが回転される。ここで、分針２６ｃおよび時針２６ｄは、連動して回転するものであり、時針２６ｄが分針２６ｃの回転速度に対して１／１２の比で連動して回転する。ステップモータ２５ａ〜２５ｃは、秒針２６ｂに対して１分で１回転、分針２６ｃに対して１時間で１回転、日板２６ｅに対して１ヶ月で１回転となる回転量にて回転させる。
【００２７】
アナログ表示部２６は、アナログ電子時計２のうち外部から視認可能な位置に配置されている。アナログ表示部２６は、図１および図２に示すように、外装ケース２９の収容空間部において、透過性を有する風防ＷＳよりも下方向側に配置され、文字板２６ａと、秒針２６ｂと、分針２６ｃと、時針２６ｄと、日板２６ｅとを有する。文字板２６ａは、円盤状に形成されており、外光を透過するものである。文字板２６ａは、インデックス２６ｆと、日窓２６ｇが形成されている。インデックス２６ｆは、秒針２６ｂ、分針２６ｃおよび時針２６ｄ（以下、単に「３針２６ｂ〜２６ｄ」ともいう）との相対位置により、ユーザーに現在時刻を認識させるものである。インデックス２６ｆは、文字板２６ａに対して周方向に等間隔に形成されている。本実施形態におけるインデックス２６ｆは、６度ごとに等間隔に形成されるものと、３０度ごとに等間隔に形成されるものとがある。日窓２６ｇは、文字板２６ａの上下方向において日板２６ｅと対向する位置に形成されており、文字板２６ａを上下に貫通するものである。本実施形態における日窓２６ｇは、矩形形状であり、文字板２６ａにおいて「３時」の位置に形成されている。秒針２６ｂ、分針２６ｃおよび時針２６ｄは、図示しないフレームに回転自在に支持されており、文字板２６ａの上側、例えば文字板２６ａの中心部において同軸上を回転する。秒針２６ｂ、分針２６ｃおよび時針２６ｄは、文字板２６ａ上のインデックス２６ｆに対する位置を指し示すことで、表示時刻の秒、分、時を指し示す。日板２６ｅは、図示しないフレームに回転自在に支持されており、文字板２６ａの下側を回転する。日板２６ｅは、日窓２６ｇにより文字板２６ａの上側に露出可能であり、日窓２６ｇを介して、時刻のうち「日」を指し示す。日板２６ｅは、日を識別することができる識別パターン、本実施形態では１〜３１の数字が周方向に等間隔に配置して形成されている。秒針２６ｂは現在時刻のうち「秒」を指し、分針２６ｃは現在時刻のうち「分」を指し、時針２６ｄは現在時刻のうち「時」を指すものである。本実施形態における３針２６ｂ〜２６ｄは、時針２６ｄ、分針２６ｃ、秒針２６ｂの順で、回転半径方向において文字板２６ａの中心からの長さが短く形成されている。
【００２８】
操作部２７は、例えば、リューズや操作ボタン等である。操作部２７は、ユーザーが操作することで、入力操作に応じた操作内容が時計側制御部２３に出力される。ここで、時計側制御部２３は、操作内容に応じて、各種の処理を実行する。本実施形態における操作部２７は、外装ケース２９に対して、アナログ電子時計２の「１２時」の位置を０度とすると、「３時」の位置、すなわち９０度の位置に設けられている。
【００２９】
時計側記憶部２８は、時計識別情報を記憶するものである。時計識別情報とは、アナログ電子時計２の種類、色、製造年などに関する情報であり、いわゆるシリアル番号、製造番号などの情報である。また、時計側記憶部２８は、後述するペアリング用のパスキーや、アナログ電子時計２にアラーム機能がある場合にはアラーム情報を記憶するものである。時計側記憶部２８は、例えば、フラッシュメモリやＥＥＰＲＯＭ等である。
【００３０】
端末機器３は、アナログ電子時計２とは別個であり、アナログ電子時計システム１の表示時刻補正機能に対応する表示時刻補正アプリケーション（以下、単に、「アプリ」ともいう）が、端末機器３の初期時（工場出荷時）から後述する端末側記憶部３７に記憶、あるいはインターネット網１００を介して外部サーバ２００からダウンロードや接続された記録媒体から読み込むことで端末側記憶部３７に記憶されるものである。本実施形態における端末機器３は、一部の機能として、アナログ電子時計システム１としての機能を有し、他の機能、例えば、電話機能、インターネット接続機能などを有しているスマートフォン、タブレットなどの携帯端末であるがこれに限定されるものではなく、ノートパソコンなどのパーソナルコンピュータであってもよい。端末機器３は、図１、図３に示すように、撮像部３１と、タッチパネル部３２と、アンテナ３３と、端末側通信部３４と、端末側制御部３５と、端末側電源部３６と、端末側記憶部３７と、内蔵時計部３８と、音声入出力部３９とを含んで構成されている。なお、端末機器３は、要求される機能に応じて、例えば、振動発生部などが追加されてもよい。
【００３１】
撮像部３１は、アナログ電子時計２の文字板２６ａを撮像するものであり、図４に示すように、指針群２６ｂ〜２６ｅおよび文字板２６ａを含む指針文字板画像Ｐを生成するものである。撮像部３１は、端末機器３の裏面（タッチパネル部３２の後述する表示面３２ａが設けられている面と反対側の面）に配置されており、端末側電源部３６からの電力により駆動する撮像素子が面状に配列されたＣＣＤイメージセンサやＣＭＯＳイメージセンサなどの撮像センサ３１ａを有するものである。撮像センサ３１ａは、露光ごとに、入射される光に応じた出力値に基づいて指針文字板画像Ｐを生成し、画像信号として端末側制御部３５に出力する。撮像部３１は、撮像センサ３１ａの撮像条件、すなわち露光タイミング、露光時間、ホワイトバランスなどに基づいて、各撮像素子を駆動制御する。ここで、指針文字板画像Ｐは、文字板２６ａに対応する画像、秒針２６ｂに対応する画像、分針２６ｃに対応する画像、時針２６ｄに対応する画像、日板２６ｅのうち日窓２６ｇから露出する部分に対応する画像、インデックス２６ｆに対応する画像、外装ケース２９に対応する画像が含まれる。
【００３２】
タッチパネル部３２は、表示部および入力部として機能するディスプレイである。タッチパネル部３２は、表示部の機能として、表示面３２ａを有し、撮像部３１により撮像された指針文字板画像Ｐを表示面３２ａに表示する。タッチパネル部３２は、端末機器３の表面に配置されており、端末側電源部３６からの電力により駆動する液晶ディスプレイ、有機ＥＬディスプレイなどのディスプレイである。タッチパネル部３２は、端末側制御部３５から出力される画像データ信号に基づいて、撮像部３１により撮像された画像である指針文字板画像Ｐを表示する。タッチパネル部３２は、入力部の機能として、ユーザーが任意の位置を押圧することで、操作入力位置に対する操作入力信号が端末側制御部３５に出力される。
【００３３】
アンテナ３３は、端末側通信部の一部を構成するものであり、少なくともＢｌｕｅｔｏｏｔｈ（登録商標）規格の電波を受信するものである。アンテナ３３は、端末側通信部３４と接続されている。
【００３４】
端末側通信部３４は、端末側通信部の一部を構成するものであり、外部と少なくとも時刻に関する時刻情報を送信および時計識別情報を受信することができるものである。本実施形態における端末側通信部３４は、アナログ電子時計２から時計識別情報および外部サーバ２００から針識別情報を受信し、アナログ電子時計２に現在表示時刻情報を送信するものである。端末側通信部３４は、時計側通信部２２と同様に、アンテナ３３を介して、少なくとも外部であるアナログ電子時計２との間でＢｌｕｅｔｏｏｔｈ（登録商標）通信を行うための図示しないＢｌｕｅｔｏｏｔｈ（登録商標）モジュールおよび変換部を有する。端末側制御部３５から出力される送信情報（送信データ）、例えば時刻情報は、端末側通信部３４の変換部において信号処理が行われ、Ｂｌｕｅｔｏｏｔｈ（登録商標）モジュールからアンテナ３３を介してアナログ電子時計２に送信される。一方、アンテナ３３を介して、端末側通信部３４のＢｌｕｅｔｏｏｔｈ（登録商標）モジュールが受信した受信情報（受信データ）、例えば時刻情報は、変換部において信号処理が行われ、端末側制御部３５に出力される。また、端末側通信部３４は、各地に設置されている基地局を含むインターネット網１００と、無線通信により、情報の送受信を行うことができるものでもある。つまり、端末側通信部３４は、インターネット網１００を介して、外部サーバ２００との間で情報の送受信を行うことができる。ここで、外部サーバ２００には、時計識別情報と後述する針識別情報とが関連づけられた状態で記憶されている。
【００３５】
端末側制御部３５は、撮像部３１を含む端末機器３を構成する機器を制御するものである。端末側制御部３５は、上記アプリを実行することで、アナログ電子時計２の指針群２６ｂ〜２６ｅの回転を停止させ、アナログ電子時計２の回転停止状態におけるアナログ表示部２６の撮像を実現するものである。また、端末側制御部３５は、針識別情報を取得し、端末側記憶部３７に記憶するものである。本実施形態における端末側制御部３５は、アナログ電子時計２との通信を確立した際に、インターネット網１００を介して外部である外部サーバ２００から針識別情報を取得するものである。端末側制御部３５は、撮像部３１が生成した指針文字板画像Ｐを画像処理するとともに、針識別情報に基づいて指針群２６ｂ〜２６ｅの現在表示位置を検出するものである。端末側制御部３５は、検出された現在表示位置に基づいて現在表示時刻情報をアナログ電子時計２に向けて出力するものである。ここで、端末側制御部３５のハードウェア構成は、周知の端末機器における制御部のハードウェア構成と同一であり、例えば、図示しない演算部、ＲＡＭ、ＲＯＭを有する。
【００３６】
端末側電源部３６は、端末機器３の電力源であり、撮像部３１と、タッチパネル部３２と、端末側通信部３４と、端末側制御部３５と、端末側記憶部３７と、内蔵時計部３８と、音声入出力部３９等、端末機器３内の各部に対して電力を供給する。端末側電源部３６は、少なくとも充放電可能なバッテリを有する。
【００３７】
端末側記憶部３７は、端末側制御部３５が実行する表示時刻補正アプリケーションに対応するプログラムを含む各種のプログラム、初期設定情報などを記憶するものである。端末側記憶部３７は、針識別情報を記憶するものでもある。ここで、針識別情報は、アナログ電子時計２の少なくとも指針の形状に関する針形状情報を含む情報である。本実施形態における針識別情報は、アナログ電子時計２の文字板２６ａ、秒針２６ｂ、分針２６ｃ、時針２６ｄ、外装ケース２９の色情報、形状情報である。端末側記憶部３７は、例えば、フラッシュメモリやＥＥＰＲＯＭ等である。
【００３８】
内蔵時計部３８は、端末内部時刻を計時して保持するカウンタである。端末機器３では、端末側制御部３５により端末内部時刻が読み出され、タッチパネル部３２の表示面３２ａに表示される。また、端末機器３では、端末側制御部３５により、端末内部時刻と設定時刻とを比較することで、各種動作が行われる。端末内部時刻は、端末側通信部３４によって端末機器３と基地局との通信が行われている際に、基地局から取得される基地局側時刻情報に基づいて、端末側制御部３５により随時更新が行われる。
【００３９】
音声入出力部３９は、主にユーザーと端末機器３との間で音声を介して情報を伝達するものである。音声入出力部３９は、マイク３９ａと、スピーカー３９ｂとを有する。マイク３９ａは、主に、ユーザーの音声を入力するものであり、音波を音声信号に変換し、端末側制御部３５などに出力するものである。スピーカー３９ｂは、主に、ユーザーに対して音声を出力するものであり、端末側制御部３５などから出力された音声信号を音波に変換し、端末機器３の外部に出力するものである。
【００４０】
次に、実施形態１におけるアナログ電子時計システム１による表示時刻補正について説明する。まず、アナログ電子時計２と端末機器３との通信確立処理について説明する。図５は、実施形態におけるアナログ電子時計システムのシーケンス図である。図６は、アナログ電子時計における通信確立処理のフロー図である。図７は、端末機器における通信確立処理のフロー図である。図８は、本実施形態１における端末機器における表示時刻補正処理のフロー図である。図９は、アナログ電子時計における表示時刻補正処理のフロー図である。図１０は、時計の中心および向きを特定する処理の説明図である。図１１は、本実施形態における端末機器の表示面に対する補正困難情報表示画像の一例を示す図である。ここで、図５は、アナログ電子時計２と、端末機器３と、外部サーバ２００との間のやりとりを順に示したシーケンス図である。
【００４１】
まず、ユーザーは、図５に示すように、ペアリングを行う。ここでは、ユーザーは、アナログ電子時計２および端末機器３に対してペアリング操作を行う。ユーザーは、例えば、アナログ電子時計２の操作部２７を操作することでアナログ電子時計２に対してペアリング操作を行う。また、ユーザーは、端末機器３は、タッチパネル部３２を操作することで、表示面３２ａにペアリング用の設定画面を表示させ、ペアリング実行用ボタンのアイコンを押下する。なお、アナログ電子時計２は、ペアリング操作を操作部２７により行うが、これに限定されるものではなく、操作部２７とは異なるスイッチなどの操作部により行ってもよい。以下、図５に示すシーケンスについて順を追って図６以降の図を用いて説明する。
【００４２】
次に、アナログ電子時計２の時計側制御部２３は、図６に示すように、ペアリング操作が行われた否かを判断する（ステップＳＴ２０１）。
【００４３】
次に、時計側制御部２３は、ペアリング操作が行われたと判断する（ステップＳＴ２０１：Ｙｅｓ）と、端末機器３との通信を確立する（ステップＳＴ２０２）。ここでは、時計側制御部２３は、ユーザーによりペアリング操作が行われると、通信確立用信号を端末機器３に向けて時計側通信部２２により送信し、端末機器３からのパスキーを含む通信確立用信号を時計側通信部２２が受信し、端末機器３からの通信確立用信号に含まれるパスキーが時計側制御部２３に記憶されているパスキーと一致すると、通信確立完了信号を端末機器３に向けて時計側通信部２２により送信し、端末機器３との通信を確立する。なお、時計側制御部２３は、ペアリング操作が行われていないと判断する（ステップＳＴ２０１：Ｎｏ）と、ペアリング操作が行われるまで、ステップＳＴ２０１を繰り返す。
【００４４】
次に、時計側制御部２３は、時計識別情報を送信する（ステップＳＴ２０３）。ここでは、時計側制御部２３は、端末機器３との通信が確立すると、時計側記憶部２８に記憶されている時計識別情報を時計側通信部２２により端末機器３に送信する。
【００４５】
一方、端末機器３の端末側制御部３５は、図７に示すように、ペアリング操作が行われた否かを判断する（ステップＳＴ３０１）。
【００４６】
次に、端末側制御部３５は、ペアリング操作が行われたと判断する（ステップＳＴ３０１：Ｙｅｓ）と、アナログ電子時計２との通信を確立する（ステップＳＴ３０２）。ここでは、端末側制御部３５は、ユーザーによりペアリング操作が行われると、アナログ電子時計２からの通信確立用信号を受信し、パスキーを含む通信確立用信号をアナログ電子時計２に向けて端末側通信部３４により送信し、アナログ電子時計２からの通信確立完了信号を受信すると、アナログ電子時計２との通信を確立する。なお、端末側制御部３５は、ペアリング操作が行われていないと判断する（ステップＳＴ３０１：Ｎｏ）と、ペアリング操作が行われるまで、ステップＳＴ３０１を繰り返す。
【００４７】
次に、端末側制御部３５は、時計識別情報を受信したか否かを判断する（ステップＳＴ３０３）。
【００４８】
次に、端末側制御部３５は、時計識別情報を受信したと判断する（ステップＳＴ３０３：Ｙｅｓ）と、情報取得要求を行う（ステップＳＴ３０４）。ここでは、端末側制御部３５は、外部サーバ２００から針識別情報を取得するために、端末側通信部３４により、インターネット網１００を介して外部サーバ２００に対して、針識別情報を要求する。ここで、外部サーバ２００は、複数の針識別情報が時計識別情報に関連づけられて記憶されている。各針識別情報は、アナログ電子時計２の種類、色、製造年などに対応したものである。なお、端末側制御部３５は、時計識別情報を受信していないと判断する（ステップＳＴ３０３：Ｎｏ）と、時計識別情報を受信するまで、ステップＳＴ３０３を繰り返す。
【００４９】
次に、端末側制御部３５は、針識別情報を受信したか否かを判断する（ステップＳＴ３０５）。ここでは、端末側制御部３５は、外部サーバ２００に対して、情報取得要求を行った結果として、外部サーバ２００から通信が確立したアナログ電子時計２の時計識別情報に対応する針識別情報を端末側通信部３４により受信したか否かを判断する。
【００５０】
次に、端末側制御部３５は、針識別情報を受信した判断する（ステップＳＴ３０５：Ｙｅｓ）と、針識別情報を記憶する（ステップＳＴ３０６）。ここでは、端末側制御部３５は、端末側通信部３４により針識別情報を受信すると、端末側記憶部３７に針識別情報を記憶する。これにより、端末機器３は、時計識別情報に基づいて針識別情報を取得する。なお、端末側制御部３５は、針識別情報を受信していないと判断する（ステップＳＴ３０５：Ｎｏ）と、針識別情報を受信するまで、ステップＳＴ３０５を繰り返す。
【００５１】
以上のように、本実施形態におけるアナログ電子時計システム１は、端末側通信部３４を介して、端末機器３の外部からアナログ電子時計２の時計識別情報に対応する針識別情報を取得する。ここで、端末機器３は、端末機器３と通信を確立することができるアナログ電子時計２であれば、どのアナログ電子時計２であっても表示位置を補正することができるため、予め針識別情報を端末側記憶部３７に記憶しておく場合、表示位置を補正することができるすべてのアナログ電子時計２に対応する針識別情報を記憶してもよいが、端末側記憶部３７に多くの記憶容量が必要となる。一方、本実施形態における端末機器３は、端末機器３により表示位置を補正するアナログ電子時計２の針識別情報を予め端末側記憶部３７に記憶しておく必要がないので、針識別情報を記憶する端末側記憶部３７の記憶容量を少なくすることができる。
【００５２】
次に、アナログ電子時計２と端末機器３との通信が確立した後における、表示時刻補正処理について説明する。まず、ユーザーは、端末機器３において表示時刻補正アプリケーションを起動する。ここで、アプリの起動は、例えば、ユーザーが表示面３２ａに表示されたアプリに対応する起動ボタンのアイコンを押下する（表示面３２ａのうち、起動ボタンのアイコン表示位置に対して操作入力する）。
【００５３】
次に、端末機器３の端末側制御部３５は、図８に示すように、アプリが起動しているか否かを判断する（ステップＳＴ３１１）。
【００５４】
次に、端末側制御部３５は、アプリが起動していると判断する（ステップＳＴ３１１：Ｙｅｓ）と、アナログ電子時計２に対して回転停止信号を送信する（ステップＳＴ３１２）。現時点で、アナログ電子時計２の指針群２６ｂ〜２６ｅが回転状態であるため、端末側制御部３５は、指針群２６ｂ〜２６ｅが停止している状態で撮像部３１による撮像ができるように、端末側通信部３４および時計側通信部２２を介して、指針群２６ｂ〜２６ｅの回転を停止させる回転停止信号を時計側制御部２３に出力する。なお、端末側制御部３５は、アプリが起動していないと判断する（ステップＳＴ３１１：Ｎｏ）と、アプリが起動されるまでステップＳＴ３１１を繰り返す。
【００５５】
次に、アナログ電子時計２の時計側制御部２３は、図９に示すように、回転停止信号を受信したか否かを判断する（ステップＳＴ２１１）。
【００５６】
次に、時計側制御部２３は、回転停止信号を受信したと判断する（ステップＳＴ２１１：Ｙｅｓ）と、指針群２６ｂ〜２６ｅの回転を停止する（ステップＳＴ２１２）。ここでは、時計側制御部２３は、モータ駆動回路２３ｂに対して駆動機構部２５に出力している駆動信号の出力を停止させる。これにより、アナログ電子時計２は、指針群２６ｂ〜２６ｅが現在表示位置において停止することとなる。また、時計側制御部２３は、カウンタによるカウントを禁止し、時計内部時刻の更新、すなわち時計内部時刻の計時を停止する。なお、時計側制御部２３は、回転停止信号を受信していないと判断する（ステップＳＴ２１１：Ｎｏ）と、回転停止信号を受信するまでステップＳＴ２１１を繰り返す。
【００５７】
次に、端末側制御部３５は、撮像部３１を起動する（ステップＳＴ３１３）。ここでは、端末側制御部３５は、指針群２６ｂ〜２６ｅが回転停止状態のアナログ表示部２６を撮像するために、撮像部３１を起動する。端末側制御部３５は、撮像部３１が起動されると、撮像部３１からリアルタイムに出力される画像信号に基づいた画像を表示面３２ａに表示させる。つまり、ユーザーは、表示面３２ａを視認することで、撮像部３１が撮像しようとする被写体、すなわちアナログ電子時計２を確認することができる。また、端末側制御部３５は、図１に示すように、表示面３２ａに対して、撮像部３１による撮像を指示するシャッターをアイコンＰＢとして表示する。なお、端末側制御部３５は、ユーザーに対してアナログ電子時計２の回転が停止してから撮像することを注意喚起する表示を表示面３２ａに表示させてもよい。
【００５８】
次に、端末側制御部３５は、シャッターが押下されたか否かを判断する（ステップＳＴ３１４）。
【００５９】
次に、端末側制御部３５は、シャッターが押下されたと判断する（ステップＳＴ３１４：Ｙｅｓ）と、指針文字板画像Ｐを生成する（ステップＳＴ３１５）。ここでは、端末側制御部３５は、ユーザーによりアイコンＰＢが押下されると、撮像部３１による撮像を指示する撮像指示信号を撮像部３１に出力し、撮像部３１による撮像が行われ、指針文字板画像Ｐが生成される。また、端末側制御部３５は、シャッターが押下されていないと判断する（ステップＳＴ３１４：Ｎｏ）と、シャッターが押下されるまで、ステップＳＴ３１４を繰り返す。
【００６０】
次に、端末側制御部３５は、反射領域を特定する（ステップＳＴ３１６）。ここでは、端末側制御部３５は、生成された指針文字板画像Ｐにおいて、外乱光が風防ＷＳにおいて反射することで、指針文字板画像Ｐのうちアナログ表示部２６に対応する領域が認識できない可能性がある反射領域を特定する。本実施形態における端末側制御部３５は、指針文字板画像Ｐの各画素の輝度に関する情報、例えばＲＧＢの値に基づいて、ＲＧＢの値が所定値以上の画素を抽出することで反射領域を特定する。ここで、所定値は、針識別情報におけるアナログ電子時計２の秒針２６ｂ、分針２６ｃ、時針２６ｄ、外装ケース２９の色情報に基づいて設定される。例えば、文字板２６ａが白色であると、指針文字板画像Ｐにおいて反射領域を特定する場合に、外乱光が風防ＷＳにおいて反射したものなのか、文字板２６ａなのかの判別が困難となる。そこで、所定値は、針識別情報におけるアナログ電子時計２の色情報に基づいて設定することで、外乱光が風防ＷＳにおいて反射した領域なのか、アナログ電子時計２に対応する領域なのかを精度良く判別することができる。これにより、反射領域を精度良く特定することができるので、指針文字板画像Ｐにおける３つの針２６ｂ〜２６ｄの現在表示位置の検出精度を向上することができる。
【００６１】
次に、端末側制御部３５は、風防領域を特定する（ステップＳＴ３１７）。ここでは、端末側制御部３５は、指針文字板画像Ｐのうち、アナログ表示部２６の上方向側に位置する風防ＷＳに対応する領域を特定する。本実施形態における端末側制御部３５は、針識別情報に基づいて風防ＷＳに対応する領域を特定する。具体的には、端末側制御部３５は、針識別情報における外装ケース２９の形状情報に基づいて外装ケース２９のうち最大円と同心円の風防ＷＳの外径に対応する径の円に対応する領域を風防ＷＳに対応する領域として特定する。なお、端末側制御部３５は、指針文字板画像Ｐのうち、円形状を抽出し、抽出した円形状のうち最大円と同心円の最小円に対応する領域を風防ＷＳに対応する領域として特定してもよい。
【００６２】
次に、端末側制御部３５は、指針文字板画像Ｐに基づいて現在表示位置を検出することが可能であるか否かを判断する（ステップＳＴ３１８）。ここでは、端末側制御部３５は、反射領域に基づいて現在表示位置を検出することが可能であるか否かを判断する。具体的には、端末側制御部３５は、指針文字板画像Ｐのうち、風防ＷＳに対応する領域内において反射領域が占める割合、すなわちアナログ電子時計２、本実施形態では風防ＷＳに対する反射領域の面積に基づいて現在表示位置を検出することが可能であるか否かを判断する。端末側制御部３５は、例えば、風防ＷＳに対応する領域を１００％とした場合に、風防ＷＳに対応する領域内において反射領域が占める割合が１０％以下であるか否かを判断する。
【００６３】
次に、端末側制御部３５は、指針文字板画像Ｐに基づいて現在表示位置を検出することが可能であると判断する（ステップＳＴ３１８：Ｙｅｓ）と、指針文字板画像Ｐに対して画像処理を行う（ステップＳＴ３１９）。ここでは、端末側制御部３５は、針識別情報に基づいて現在表示位置を検出しやすくするために、指針文字板画像Ｐに対して画像処理を行う。本実施形態における端末側制御部３５は、指針文字板画像Ｐに対して、輝度、色温度などに基づいたエッジ検出処理を実行し、指針文字板画像Ｐを二値化する。そして、端末側制御部３５は、二値化した指針文字板画像Ｐに対して白黒反転処理を実行する。なお、端末側制御部３５は、二値化した指針文字板画像Ｐに対して白黒反転処理を実行しなくてもよい。
【００６４】
次に、端末側制御部３５は、指針文字板画像Ｐに基づいて注意点を抽出する（ステップＳＴ３２０）。ここでは、端末側制御部３５は、画像処理された指針文字板画像Ｐから時計の中心、向きを特定するために、複数の注意点を抽出する。具体的には、図１０に示すように、指針文字板画像Ｐにおいて、外装ケース２９の離間した４つ注意点Ａ〜Ｄを抽出する。ここで、外装ケース２９のうち環状部２９ｅとかん２９ａとの連結部のうち、ベルト側端部を注意点Ａとし、環状部２９ｅとかん２９ｂとの連結部のうち、ベルト側端部を注意点Ｂとし、環状部２９ｅとかん２９ｃとの連結部のうち、ベルト側端部を注意点Ｃとし、環状部２９ｅとかん２９ｄとの連結部のうち、ベルト側端部を注意点Ｄとする。
【００６５】
次に、端末側制御部３５は、図８に示すように、全注意点Ａ〜Ｄを抽出できたか否かを判断する（ステップＳＴ３２１）。ここでは、端末側制御部３５は、画像処理された指針文字板画像Ｐから注意点Ａ〜Ｄを全て抽出することができたか否かを判断する。
【００６６】
次に、端末側制御部３５は、全注意点Ａ〜Ｄを抽出できたと判断する（ステップＳＴ３２１：Ｙｅｓ）と、時計の中心および向きを特定する（ステップＳＴ３２２）。ここでは、端末側制御部３５は、抽出された注意点Ａ〜Ｄに基づいてアナログ電子時計２の時計の中心Ｏと、時計の向きを特定する。本実施形態における時計の中心Ｏは、指針群２６ｂ〜２６ｅの回転中心であり、外装ケース２９の中心である。本実施形態における時計の向きは、アナログ電子時計２の「１２時」の位置、すなわち０度の位置である。具体的には、端末側制御部３５は、図１０に示すように、注意点Ａと注意点Ｂとを通る直線ＡＢと、注意点Ｃと注意点Ｄとを通る直線ＣＤと、注意点Ａと注意点Ｃとを通る直線ＡＣと、注意点Ｂと注意点Ｄとを通る直線ＢＤとを生成する。次に、端末側制御部３５は、直線ＡＢおよび直線ＣＤに基づいて、直線ＡＢと直線ＣＤとの間における真ん中に位置し、かつ直線ＡＢおよび直線ＣＤと平行な直線を直線Ｘとし、直線ＡＣおよび直線ＢＤに基づいて、直線ＡＣと直線ＢＤとの間における真ん中に位置し、かつ直線ＡＣおよび直線ＢＤと平行な直線を直線Ｙとする。端末側制御部３５は、直線Ｘと直線Ｙとが交差する点を時計の中心Ｏに特定する。また、端末側制御部３５は、時計の中心Ｏと操作部２７であるリューズの直線Ｙ方向における真ん中とを通る線を時計の中心Ｏを回転中心として、反時計回りに９０度回転させた線、すなわち時計の中心Ｏからの延在方向を０度の位置として特定する。
【００６７】
次に、端末側制御部３５は、現在表示位置を検出したか否かを判断する（ステップＳＴ３２３）。ここでは、端末側制御部３５は、針識別情報に基づいて秒針２６ｂ、分針２６ｃ、時針２６ｄを検出し、文字板２６ａに対する現在表示位置を検出する。本実施形態における端末側制御部３５は、針識別情報である秒針２６ｂ、分針２６ｃ、時針２６ｄの形状と、画像処理された指針文字板画像Ｐとに基づいて、パターンマッチング処理により、指針文字板画像Ｐにおいて秒針２６ｂに対応する領域、分針２６ｃに対応する領域、時針２６ｄに対応する領域を抽出する。次に、端末側制御部３５は、抽出された３針２６ｂ〜２６ｄに対応する領域、時計の中心Ｏおよび時計の向きに基づいて、０度の位置に対する３針２６ｂ〜２６ｄの回転角度を算出する。これにより、端末側制御部３５は、３針２６ｂ〜２６ｄの現在表示位置を検出する。
【００６８】
次に、端末側制御部３５は、現在表示位置を検出したと判断する（ステップＳＴ３２３：Ｙｅｓ）と、表示時刻情報を生成する（ステップＳＴ３２４）。ここでは、端末側制御部３５は、検出した３針２６ｂ〜２６ｄの回転角度に基づいて、表示時刻における「秒」、「分」、「時」を特定する。
【００６９】
次に、端末側制御部３５は、アナログ電子時計２に対して表示時刻情報を送信する（ステップＳＴ３２５）。現時点で、アナログ電子時計２の指針群２６ｂ〜２６ｅが回転停止状態であるため、端末側制御部３５は、時計内部時刻の計時を停止している状態で、指針群２６ｂ〜２６ｅを駆動機構部２５によりそれぞれ回転させることができるように、端末側通信部３４および時計側通信部２２を介して、３針２６ｂ〜２６ｄの現在表示位置を時計側制御部２３に出力する。本実施形態における端末側制御部３５は、表示時刻情報とともに、基準時刻情報を時計側制御部２３に出力する。
【００７０】
次に、時計側制御部２３は、図９に示すように、表示時刻情報を受信したか否かを判断する（ステップＳＴ２１３）。
【００７１】
次に、時計側制御部２３は、表示時刻情報を受信したと判断する（ステップＳＴ２１３：Ｙｅｓ）と、表示時刻情報に基づいて３針２６ｂ〜２６ｄの表示位置を補正する（ステップＳＴ２１４）。ここでは、時計側制御部２３は、表示時刻情報と時計内部時刻とを比較して、秒、分、時それぞれの差分に基づいて、表示時刻が時計内部時刻と一致するように、駆動機構部２５の各ステップモータ２５ａ，２５ｂに対してモータ駆動回路２３ｂが駆動信号を出力し、３針２６ｂ〜２６ｄを表示時刻情報に基づいて回転させる。本実施形態における時計側制御部２３は、表示時刻情報に対応する表示時刻および基準時刻情報に対応する基準時刻と、時計内部時刻とを比較して、秒、分、時それぞれの差分に基づいて、駆動機構部２５の各ステップモータ２５ａ，２５ｂに対してモータ駆動回路２３ｂが駆動信号を出力する。つまり、時計側制御部２３は、時計内部時刻を基準時刻と一致させるとともに、表示時刻が時計内部時刻と一致するように、駆動機構部２５の各ステップモータ２５ａ，２５ｂに対してモータ駆動回路２３ｂが駆動信号を出力し、３針２６ｂ〜２６ｄを表示時刻情報に基づいて回転させる。
【００７２】
次に、時計側制御部２３は、指針群２６ｂ〜２６ｅの回転を再開する（ステップＳＴ２１５）。ここでは、時計側制御部２３は、時計内部時刻の計時を再開するとともに、時計内部時刻に基づいてモータ駆動回路２３ｂおよび駆動機構部２５を介して、指針群２６ｂ〜２６ｅの回転を再開させる。
【００７３】
次に、時計側制御部２３は、端末機器３に対して表示時刻補正完了通知を送信する（ステップＳＴ２１６）。現時点で、アナログ電子時計２の表示時刻補正が完了し、指針群２６ｂ〜２６ｅが回転再開状態であるため、時計側制御部２３は、アプリを終了できるように、時計側通信部２２および端末側通信部３４を介して、アプリ終了のトリガーとなる表示時刻補正完了通知を端末側制御部３５に出力する。
【００７４】
次に、端末側制御部３５は、図８に示すように、表示時刻補正完了通知を受信したか否かを判断する（ステップＳＴ３２６）。
【００７５】
次に、端末側制御部３５は、表示時刻補正完了通知を受信したと判断する（ステップＳＴ３２６：Ｙｅｓ）と、アプリを終了する（ステップＳＴ３２７）。ここでは、端末側制御部３５は、表示時刻補正完了通知を受信すると、例えば、表示面３２ａに表示時刻補正が完了した旨をユーザーに認識させる注意喚起表示を表示した後、アプリを終了する。また、端末側制御部３５は、表示時刻補正完了通知を受信していないと判断する（ステップＳＴ３２６：Ｎｏ）と、表示時刻補正完了通知を受信するまでステップＳＴ３２６を繰り返す。
【００７６】
また、端末側制御部３５は、指針文字板画像Ｐに基づいて現在表示位置を検出することが可能でないと判断する（ステップＳＴ３１８：Ｎｏ）と、表示面３２ａに再撮像情報を表示する（ステップＳＴ３２８）。ここでは、端末側制御部３５は、反射領域に基づいて現在表示位置を検出することが困難であると判断した場合に、端末機器３のタッチパネル部３２に現在表示位置を検出することが困難であることに関する補正困難情報を表示する。本実施形態における端末側制御部３５は、風防ＷＳに対する反射領域の面積が３針２６ｂ〜２６ｄを検出することが困難であると判断できる面積である場合に、ユーザーに現在の指針文字板画像Ｐでは、現在表示位置の検出が困難であるため、風防ＷＳに対する反射領域の面積を小さくした状態で再度撮像をしてもらう注意喚起を行う。端末側制御部３５は、再撮像情報として、図１１に示すように、例えば「反射しないように撮影してください」などの補正困難情報ＰＭ１を表示面３２ａに表示する。これにより、ユーザーは、自身が撮像した指針文字板画像Ｐに基づいて表示時刻の補正を行うことができないことを認識することができる。特に、補正困難情報ＰＭ１として、反射に関する情報を表示面３２ａに表示することで、反射が原因により表示時刻の補正を行うことができないことを認識することができる。従って、ユーザーは、反射を考慮して、再度端末機器３によりアナログ電子時計２を撮像部３１により撮像することができ、確実に表示時刻の補正を行うことができる。
【００７７】
また、端末側制御部３５は、全注意点Ａ〜Ｄを抽出できないと判断する（ステップＳＴ３２１：Ｎｏ）と、表示面３２ａに再撮像情報を表示する（ステップＳＴ３２８）。ここでは、端末側制御部３５は、例えば、撮像部３１に対してアナログ電子時計２が正対していない、撮像部３１の撮像範囲内にアナログ電子時計２の全注意点Ａ〜Ｄが含まれていないなどで、指針文字板画像Ｐがアナログ電子時計２の全注意点Ａ〜Ｄを含んでいない画像であると、現在表示位置の検出が困難であるため、生成される指針文字板画像Ｐにおいてアナログ電子時計２の全注意点Ａ〜Ｄが含まれる状態で再度撮像をしてもらう注意喚起を行う。
【００７８】
また、端末側制御部３５は、現在表示位置を検出できないと判断する（ステップＳＴ３２３：Ｎｏ）と、一時運針を要求する。ここでは、端末側制御部３５は、生成された指針文字板画像Ｐに基づいて現在表示位置を検出できない場合に、３針２６ｂ〜２６ｄが重なっていることが原因で現在表示位置を検出することができないことが考えられるので、３針２６ｂ〜２６ｄのいずれかを少し回転させ、すなわち一時運針する。本実施形態における端末側制御部３５は、秒針２６ｂを１５秒進めるものであり、端末側通信部３４および時計側通信部２２を介して、秒針２６ｂを１５秒分回転させるための一時運針要求信号を時計側制御部２３に出力する。
【００７９】
また、時計側制御部２３は、図９に示すように、表示時刻情報を受信していないと判断する（ステップＳＴ２１３：Ｎｏ）と、一時運針要求があったか否かを判断する（ステップＳＴ２１７）。ここでは、時計側制御部２３は、現在表示位置を検出できないために、３針２６ｂ〜２６ｄを一時運針する一時運針の要求が端末機器３からあったか否かを判断する。
【００８０】
次に、時計側制御部２３は、一時運針要求があったと判断する（ステップＳＴ２１７：Ｙｅｓ）と、一時運針後回転を停止する（ステップＳＴ２１８）。ここでは、時計側制御部２３は、駆動機構部２５のステップモータ２５ａに対してモータ駆動回路２３ｂが駆動信号を出力し、秒針２６ｂを１５秒分回転させ、モータ駆動回路２３ｂに対して駆動機構部２５に出力している駆動信号の出力を停止させる。なお、時計側制御部２３は、一時運針要求がないと判断する（ステップＳＴ２１７：Ｎｏ）と、表示時刻情報を受信したか否かを判断（ステップＳＴ２１３）し、ステップＳＴ２１３以降を繰り返す。ここで、時計側制御部２３は、一時運針要求がないと判断（ステップＳＴ２１７：Ｎｏ）し、所定時間が経過した場合に、指針群２６ｂ〜２６ｅの回転を再開して、制御を終了してもよい。
【００８１】
次に、端末側制御部３５は、表示面３２ａに再撮像情報を表示する（ステップＳＴ３２８）。ここでは、端末側制御部３５は、アナログ電子時計２の一時運針を行っても、ユーザーが再度撮像することを意識していない場合、意識しているがどのタイミングで再度撮像するのかを把握していない場合などが考えられるため、一時運針後に再度撮像をしてもらう注意喚起を行う。
【００８２】
以上のように、本実施形態におけるアナログ電子時計２は、表示時刻補正を行う際に、針識別情報に基づいて指針文字板画像Ｐにおける文字板２６ａに対する秒針２６ｂ、分針２６ｃ、時針２６ｄの現在表示位置を検出するので、針識別情報がない場合において、文字板２６ａに対する秒針２６ｂ、分針２６ｃ、時針２６ｄの現在表示位置を検出する場合と比較して、指針文字板画像Ｐにおける指針の現在表示位置の検出精度を向上することができる。これにより、精度の高い現在の表示時刻情報を生成することができるので、精度の高い表示時刻補正を行うことができる。また、指針文字板画像Ｐにおける秒針２６ｂ、分針２６ｃ、時針２６ｄの現在表示位置が検出しやすくなるので、表示時刻補正ができないことを抑制することができる。これにより、本実施形態におけるアナログ電子時計２は、表示時刻補正の信頼性を向上することができる。特に、腕時計の外装の場合、文字板２６ａ、指針２６ｂ〜２６ｃ、外装ケース２９、操作部２７は、デザインバリエーションが多く、多品種となることから、本実施形態のように、個々のデザインに合わせた識別条件で現在表示位置を検出することによって、表示時刻補正の信頼性を向上することができる。
【００８３】
また、本実施形態におけるアナログ電子時計２は、反射領域に基づいて現在表示位置を検出することが可能であるか否かを判断し、反射領域に基づいて現在表示位置を検出することが可能であると判断した場合のみ現在表示位置を検出するので、反射領域が原因で現在位置表示を検出することができないことを、針識別情報に基づいて現在表示位置を検出する前に行うことができる。現在表示位置を検出することが可能であるか否かを素早く判断することができ、ユーザーに認識させることができる。
【００８４】
また、本実施形態におけるアナログ電子時計２は、アナログ電子時計２に対する反射領域の面積に基づいて現在表示位置を検出するので、反射領域の面積の増加に比例して現在表示位置を検出することが可能でなくなるため、容易に現在表示位置を検出することが可能であるか否かを判断することができる。
【００８５】
なお、本実施形態におけるアナログ電子時計２は、外乱光の反射を抑制するようにしてもよい。図１２は、変形例におけるアナログ電子時計の要部断面を示す図である。変形例におけるアナログ電子時計２においては、風防ＷＳの上下方向において対向する面のうち、文字板２６ａと対向する面、すなわち下面に反射低減コーティング層ＮＲが形成されている。反射低減コーティング層ＮＲは、例えば、シリコーン化合物や、フッ化マグネシウムなどを積層して形成されている。変形例におけるアナログ電子時計システム１は、反射低減コーティング層ＮＲが形成されていることで、端末機器３による撮像時における反射を低減することができるので、指針文字板画像Ｐにおける反射領域を低減することができる。これにより、本実施形態におけるアナログ電子時計システム１は、表示時刻補正の信頼性をさらに向上することができる。ここで、反射低減コーティング層ＮＲは、風防ＷＳの下面に形成されているが、下面とともに上下方向において対向する面のうち、アナログ電子時計２の外部と対向する面、すなわち上面に形成されていてもよい。この場合は、端末機器３による撮像時における反射をさらに低減することができるので、指針文字板画像Ｐにおける反射領域をさらに低減することができる。なお、反射低減コーティング層ＮＲは、風防ＷＳの上面にのみ形成されていてもよい。
【００８６】
また、本実施形態におけるアナログ電子時計システム１は、時計の中心Ｏおよび時計の向きを特定するために、かん２９ａ〜２９ｄを利用したが、これに限定されるものではなく、時計の中心Ｏおよび時計の向きを特定することができれば、外装ケース２９のどの部分を利用してもよい。例えば、操作部２７や文字板２６ａに含まれるインデックス２６ｆを利用してもよい。
【００８７】
〔実施形態２〕
次に、実施形態２にかかるアナログ電子時計システムについて説明する。図１３は、実施形態２における端末機器における表示時刻補正処理のフロー図である。図１４は、端末機器により撮像された補正後指針文字板画像を示す図である。図１５は、端末機器により撮像された指針文字板画像の一部を示す図である。
【００８８】
実施形態２におけるアナログ電子時計システムが実施形態１におけるアナログ電子時計システム１に対して異なる点は、撮像時に文字板２６ａが傾いた状態で撮像され、指針文字盤画像Ｐにおける文字板２６ａが傾いている場合に傾きを補正し、補正後指針文字板画像Ｐ´に基づいて現在表示位置を検出する点である。実施形態２におけるアナログ電子時計システムの基本構成のうち、実施形態１におけるアナログ電子時計システム１の基本構成と共通する部分の説明は省略する。
【００８９】
本実施形態における文字板２６ａは、特徴部が形成されている。ここで、特徴部は、文字板２６における境界に基づいて交差する仮想線を２以上形成することができるものである。本実施形態における特徴部は、特徴部と文字板２６との境界に基づいて交差する仮想線により四角形状ＯＬ（ＯＬ１，ＯＬ２）を形成することができるものであり、ここでは図１４に示すように、ロゴタイプ２６ｈである。
【００９０】
本実施形態における端末側通信部３４は、外部サーバ２００から特徴部形状情報を含む針識別情報を受信するものである。ここで、特徴部形状情報とは、文字板２６の特徴部の形状に関する情報である。
【００９１】
本実施形態における端末側制御部３５は、特徴部形状情報を含む針識別情報を取得し、端末側記憶部３７に記憶するものである。端末側制御部３５は、撮像部３１が生成した指針文字板画像Ｐを針識別情報のうち、特徴部形状情報に基づいて指針文字板画像Ｐにおける文字板２６ａの傾きを補正し、指針文字板画像Ｐにおける文字板２６ａの傾きを補正した補正後指針文字板画像Ｐ´を生成するものである。端末側制御部３５は、補正後指針文字板画像Ｐ´を画像処理するとともに、針識別情報に基づいて指針群２６ｂ〜２６ｅの現在表示位置を検出するものである。
【００９２】
次に、実施形態２におけるアナログ電子時計システムによる表示時刻補正について説明する。実施形態２におけるアナログ電子時計システムの表示時刻補正のうち、実施形態１におけるアナログ電子時計システム１の表示時刻補正と共通する部分の説明は省略する。
【００９３】
端末機器３の端末側制御部３５は、図１３に示すように、アプリが起動していると判断（ステップＳＴ３１１：Ｙｅｓ）と、アナログ電子時計２に対して回転停止信号を送信する（ステップＳＴ３１２）。次に、アナログ電子時計２の時計側制御部２３は、図９に示すように、回転停止信号を受信したと判断する（ステップＳＴ２１１：Ｙｅｓ）と、指針群２６ｂ〜２６ｅの回転を停止する（ステップＳＴ２１２）。次に、端末側制御部３５は、図１３に示すように、撮像部３１を起動し（ステップＳＴ３１３）、シャッターが押下された判断する（ステップＳＴ３１４：Ｙｅｓ）と、指針文字板画像Ｐを生成する（ステップＳＴ３１５）。
【００９４】
次に、端末側制御部３５は、特徴部を抽出したか否かを判断する（ステップＳＴ３３０）。ここでは、端末制御部３５は、指針文字板画像Ｐにおける文字板２６ａから特徴部、ここではロゴタイプ２６ｈを抽出したか否かを判断する。端末制御部３５は、例えば、指針文字板画像Ｐにおける文字板２６ａにおけるロゴタイプ２６ｈと文字板２６ａとの境界点を複数抽出する。次に、端末制御部３５は、抽出した複数の境界点に基づいて、複数の仮想線を形成する。次に、端末制御部３５は、複数の仮想線のうち、ロゴタイプ２６ｈのもっとも外側に位置し、かつ最も外側に位置する仮想線と交差する線を４つ抽出する。端末制御部３５は、抽出した４つの仮想線により四角形状ＯＬ１を形成する。ここで、撮像時に文字板２６ａが傾いた状態で撮像されると、図１５に示すように、抽出した４つの仮想線により形成される四角形状ＯＬ１は矩形状ではなく、台形形状などになる。
【００９５】
次に、端末側制御部３５は、図１３に示すように、特徴部を抽出したと判断する（ステップＳＴ３３０：Ｙｅｓ）と、補正後指針文字板画像Ｐ´を生成する（ステップＳＴ３３１）。ここでは、端末側制御部３５は、例えば、針識別情報のうち、特徴部形状情報および四角形状ＯＬ１に基づいて台形補正を行う。ここでは、図１４に示すように、特徴部形状情報に基づいた４つの仮想線により形成される四角形状ＯＬ２と指針文字盤画像Ｐにおける四角形状ＯＬ１とを比較し、対応する各直線の長さなどに基づいて、四角形状ＯＬ２を四角形状ＯＬ１に変形できるように、指針文字盤画像Ｐ全体を補正し、補正後指針文字板画像Ｐ´を生成する。つまり、生成された補正後指針文字板画像Ｐ´は、文字板２６ａの傾きを補正、すなわち文字板２６ａを正対して撮像した場合の指針文字板画像Ｐである。
【００９６】
次に、端末側制御部３５は、反射領域を特定し（ステップＳＴ３１６）、風防領域を特定し（ステップＳＴ３１７）、補正後指針文字板画像Ｐ´に基づいて現在表示位置を検出することが可能であると判断する（ステップＳＴ３１８：Ｙｅｓ）と、補正後指針文字板画像Ｐに対して画像処理を行う（ステップＳＴ３１９）。
【００９７】
次に、端末側制御部３５は、時計の中心および向きを特定する（ステップＳＴ３２２）。ここでは、端末側制御部３５は、補正後指針文字板画像Ｐ´における特徴部に基づいてアナログ電子時計２の時計の中心Ｏと、時計の向きを特定する。端末側制御部３５は、例えば、文字板２６ａに対するロゴタイプ２６ｈの位置および向きに基づいて、時計の中心Ｏと、時計の向きを特定する。
【００９８】
次に、端末側制御部３５は、現在表示位置を検出したと判断する（ステップＳＴ３２３：Ｙｅｓ）、表示時刻情報を生成し（ステップＳＴ３２４）、アナログ電子時計２に対して表示時刻情報を送信する（ステップＳＴ３２５）。
【００９９】
また、端末側制御部３５は、特徴部を抽出できないと判断する（ステップＳＴ３３０：Ｎｏ）と、表示面３２ａに再撮像情報を表示する（ステップＳＴ３２９）。ここでは、端末側制御部３５は、例えば、撮像部３１に対してアナログ電子時計２が特徴部を抽出できないほど傾いているなどで、指針文字板画像Ｐが特徴部を含んでいない画像であると、現在表示位置の検出が困難であるため、生成される指針文字板画像Ｐにおいてアナログ電子時計２の特徴部が含まれる状態で再度撮像をしてもらう注意喚起を行う。
【０１００】
以上のように、本実施形態におけるアナログ電子時計２は、指針文字板画像Ｐに基づいて傾きを補正した補正後指針文字板画像Ｐ´に基づいて、文字板２６ａに対する秒針２６ｂ、分針２６ｃ、時針２６ｄの現在表示位置を検出するので、補正後指針文字板画像Ｐ´における指針の現在表示位置の検出精度をさらに向上することができる。
【０１０１】
なお、本実施形態におけるアナログ電子時計システム１は、特徴部を文字板２６ａに形成されたロゴタイプ２６ｈとしたが、これに限定されるものではなく、文字板２６ａに形成されたマーク、日窓２６ｇ、インデックス２６ｆであってもよい。また、指針文字板画像Ｐに基づいて補正後指針文字板画像Ｐ´を生成する際に用いられる特徴部は、１つだけではなく、複数であってもよい。
【０１０２】
また、本実施形態におけるアナログ電子時計システム１は、アナログ電子時計２に対する反射領域の面積に基づいて現在表示位置を検出することが可能であるか否かを判断するが、これに限定されるものではない。端末側制御部３５は、アナログ電子時計２に対する反射領域の位置、すなわち文字板２６ａに対する反射領域の位置に基づいて現在表示位置を検出することが可能であるか否かを判断してもよい。この場合は、文字板２６ａに対する反射領域の位置が時計の中心Ｏ側ではなく、インデックス２６ｆ側であると判断すると、現在表示位置を検出することが可能でないと判断してもよい。また、端末側制御部３５は、アナログ電子時計２に対する反射領域の面積および位置に基づいて現在表示位置を検出することが可能か否かを判断してもよい。
【０１０３】
また、本実施形態におけるアナログ電子時計システム１は、針識別情報として、秒針２６ｂ、分針２６ｃおよび時針２６ｄの形状情報を含むが、形状情報として、秒針２６ｂ、分針２６ｃおよび時針２６ｄの一部の形状であってもよい。秒針２６ｂ、分針２６ｃおよび時針２６ｄは、時計の中心Ｏにおいて、上下方向に重なり合っている。従って、端末側制御部３５によりパターンマッチング処理を行うことで現在表示位置を検出する際に、秒針２６ｂ、分針２６ｃおよび時針２６ｄの全ての形状情報で現在表示位置を検出する場合に、重なり合っている部分が一致しにくくなるという問題がある。そこで、例えば、秒針２６ｂ、分針２６ｃおよび時針２６ｄの各形状情報として、３針２６ｂ〜２６ｄの重なり合っている部分を除いた形状をそれぞれの形状情報としてもよい。これにより、アナログ電子時計システム１は、端末側制御部３５によりパターンマッチング処理を行うことで現在表示位置を検出する際の検出精度を向上することができる。なお、秒針２６ｂ、分針２６ｃおよび時針２６ｄの各形状情報として、重なり合っている部分における他の３針２６ｂ〜２６ｄを含んでいてもよい。
【０１０４】
また、本実施形態におけるアナログ電子時計システム１は、一時運針として、秒針２６ｂを１５秒進めるものであるが、一時運針を行っても、端末側制御部３５により現在表示位置を検出することができない場合がある。この場合は、一時運針を複数回行ってもよく、複数回行っても端末側制御部３５により現在表示位置を検出することができない場合には、指針群２６ｂ〜２６ｅの回転を再開して、制御を終了してもよい。また、一時運針としては、分針２６ｃまたは時針２６ｄを所定時間進めてもよい。例えば、分針２６ｃの場合は一時運針として１５分進める。
【０１０５】
また、本実施形態におけるアナログ電子時計システム１は、撮像部３１がアナログ電子時計２を撮像する際の撮像センサ３１ａの撮像条件を針識別情報に基づいて設定してもよい。この場合は、端末制御部３５は、針識別情報に基づいて、指針文字板画像Ｐにおける反射領域を低減することができる撮像条件、例えば、露光タイミング、露光時間、ホワイトバランスなどを設定することとなる。
【符号の説明】
【０１０６】
１  アナログ電子時計システム
２  アナログ電子時計
２１  アンテナ
２２  時計側通信部
２３  時計側制御部
２４  時計側電源部
２５  駆動機構部
２６  アナログ表示部
２６ａ  文字板
２６ｂ  秒針
２６ｃ  分針
２６ｄ  時針
２７  操作部
２８  時計側記憶部
２９  外装ケース
２９ａ〜２９ｄ  かん
３  端末機器
３１  撮像部
３２  タッチパネル部
３２ａ  表示面
３３  アンテナ
３４  端末側通信部
３５  端末側制御部
３６  端末側電源部
３７  端末側記憶部
３８  内蔵時計部
３９  音声入出力部
Ｐ  指針文字板画像
Ｐ´  補正後指針文字板画像
ＰＢ  アイコン
ＰＭ１  補正困難情報
【図１】
2019128351.tif 000003
【図２】
2019128351.tif 000004
【図３】
2019128351.tif 000005
【図４】
2019128351.tif 000006
【図５】
2019128351.tif 000007
【図６】
2019128351.tif 000008
【図７】
2019128351.tif 000009
【図８】
2019128351.tif 000010
【図９】
2019128351.tif 000011
【図１０】
2019128351.tif 000012
【図１１】
2019128351.tif 000013
【図１２】
2019128351.tif 000014
【図１３】
2019128351.tif 000015
【図１４】
2019128351.tif 000016
【図１５】
2019128351.tif 000017